(57)【特許請求の範囲】
【請求項１】
貫通路をもって形成された耐火材料のブロックを包含する、オキシバーナー用開口ブロックであって、該通路が、直径Ｄs 及び長さＬs の実質的に筒状の出口領域を有し、直径Ｄe の実質的に筒状の入口領域に連結し、Ｄs ／Ｄe 比が１．５ないし２．５であり、及びＬs ／（Ｄs −Ｄe ）比が２ないし７であることを特徴とする開口ブロック。
【請求項２】
該Ｄs ／Ｄe 比が２を超えないことを特徴とする請求項１記載の開口ブロック。
【請求項３】
該Ｌs ／（Ｄs −Ｄe ）比が４ないし６であることを特徴とする請求項１又は２記載の開口ブロック。
【請求項４】
該出口領域が、該入口領域に連結する円錐台状上流部分を含むことを特徴とする請求項１ないし３のいずれか１項記載の開口ブロック。
【請求項５】
該円錐台状部分が、４５゜を超えない開口半角を有することを特徴とする請求項４記載の開口ブロック。
【請求項６】
該円錐台状部分の長さｌが、該出口領域の長さＬs の１５％を超えないことを特徴とする請求項５記載の開口ブロック。
【請求項７】
オキシバーナー及び請求項１ないし６のいずれか１項記載の開口ブロックを備えたアセンブリーであって、該オキシバーナーが、可燃性物質の射出用内部通路を少なくとも１つ、及び酸素添加可燃性物質の射出用の、該入口領域内に開口する周辺通路を少なくとも１つ含むことを特徴とするアセンブリー。
【請求項８】
該可燃性物質のための内部通路が、該入口領域の下流末端において有意に開口することを特徴とする請求項７記載のアセンブリー。
【請求項９】
該アセンブリーが、少なくとも２つの内部通路を有し、該内部通路それぞれが、
Ｌs ／（ｓ＋（Ｄs −Ｄe ）／２）
が６ないし８であるように内部領域の壁から距離ｓ離れて配置されることを特徴とする請求項７又は８記載のアセンブリー。
【請求項１０】
可燃性ガスが、少なくとも８５％酸素を含有し、５ｍ／ｓより大きい速度で射出され、及び可燃性ガスが、燃焼支持ガスの速度と少なくとも等しい速度で射出されることを特徴とする請求項７ないし９のいずれか１項記載のアセンブリーを用いるための方法。
【請求項１１】
該可燃性ガスが、該燃焼支持ガスの速度の６倍を超えない速度で射出されることを特徴とする請求項１０記載の方法。
【請求項１２】
請求項７ないし９のいずれか１項記載のアセンブリーを備えたガラス炉。
【発明の詳細な説明】
【０００１】
【発明の属する技術分野】
本発明は、高温生産炉(high temperature production furnace) 、詳細にはガラス炉内で用いられるオキシバーナー(oxyburner) 、さらに詳細には貫通路により形成される耐火材料のブロックを含む型の不冷却オキシバーナー(non-cooled oxyburner)のための開口ブロックに関する。
【０００２】
【従来の技術】
不冷却オキシバーナーの開口ブロックは、米国特許第５，２６７，８５０号に記載されるように最も頻繁には直線状筒状通路を含むか、又は米国特許第５，０９２，７６０号に記載されるようにフレアーされた出口領域(flared outlet region)を含む。燃焼が通路で起る前者の場合、たとえ可燃焼剤(combustible agent) 及び酸素添加可燃焼剤(oxygenated combustible agent)の射出速度が遅い場合でも、通路を出、炉に入るガスの速度は非常に速い。このことは、多くの場合、特にガラス炉の場合不都合である。後者の場合、開口ブロックの通路を冷却し、炉から開口ブロック内に燃性ガスが戻ることを防止するために、射出の速度はかなり速くなければならない。このこともまた、過剰な出口速度の原因となる。
【０００３】
【発明が解決しようとする課題】
本発明は、オキシバーナーの開口ブロック、及びそのような開口ブロックを含むオキシバーナーアセンブリーであって、可燃焼剤及び酸素添加可燃焼剤の射出速度を低下させることを許容し、従って、乱流を減少させ、これら成分の混合を遅延させ、それにより窒素酸化物を生成させるところの開口ブロック内の高められた温度地点の形成を防ぐことを許容し、その結果、向上した放射伝熱を提供するための炎の明度を上昇させ、並びに開口ブロックの出口におけるガス速度を比較的低い水準に維持するオキシバーナーの開口ブロック、及びそのような開口ブロックを包含するオキシバーナーアセンブリーを提供することを目的とする。
【０００４】
【課題を解決するための手段】
上記目的を達成するために、本発明の１つの特徴によれば、開口ブロックの通路は、直径Ｄe の実質的に筒状の入口領域に連結した、直径Ｄs 及び長さＬs の実質的に筒状の出口領域を含み、Ｄs ／Ｄe 比が１．５ないし２．５であり、Ｌs ／（Ｄs −Ｄe ）比が２ないし７である。
【０００５】
本発明の他の特徴によれば、
Ｄs ／Ｄe 比は２を超えず、
Ｌs ／（Ｄs −Ｄe ）比が４ないし６であり、
出口領域が、入口領域との連結のための、典型的にはフレアー角度４５゜未満、及び出口領域の長さＬs の約１５％を超えない長さl を有する円錐状上流部を含む。
【０００６】
米国特許第３，７４８，０８７号には、空気バーナー及び開口ブロックのアセンブリーが開示されている。上記アセンブリーは、極めて幅が広く、短い出口領域を有する通路、及び小さい径の長い領域を包含し、高速の可燃性物質及び燃焼空気の密接な混合物を提供し、出口領域において予備燃焼を許容する。
【０００７】
本発明は、上で規定されたような開口ブロック及びオキシバーナーのアセンブリーであって、それらの末端が開口ブロックの入口領域内に末端を有するところの可燃性物質の射出用内部通路を少なくとも１つ、及び酸素添加可燃性物質の射出用周辺通路を少なくとも１つ含むアセンブリー、さらにはそのようなアセンブリーを備えた炉、特にガラス炉をも目的とする。
【０００８】
本発明の他の特徴によれば、可燃性物質用内部通路は、その出口領域との連結位置において、入口領域の下流末端において開口する。
【０００９】
本発明は、そのようなオキシバーナー及び開口ブロックのアセンブリーを用いるための方法にも関する。本発明の方法において、酸素添加可燃性物質は、５メートル／秒（ｍ／ｓ）以上、好ましくは６０ｍ／ｓ未満の速度で射出され、可燃性物質は、酸素添加可燃性物質の射出速度より速い速度で射出される。
【００１０】
本発明の他の特徴及び利点は、添付の図面を参照し、以下の非制限的例により示される態様の説明から明らかになるであろう。
【００１１】
図１は、本発明のオキシバーナー及び開口ブロックのアセンブリーの第１の態様の概略図である。
【００１２】
図２は、図１のアセンブリーの開口ブロックを出るガスの速度分布を示す曲線である。
【００１３】
図３は、図１と同様に、本発明のオキシバーナー及び開口ブロックのアセンブリーの第２の態様の概略図である。
【００１４】
図１において、耐火材料の開口ブロック３の通路２内の一部分に延出し、炉（図示せず）、特にガラス炉の壁内に配置されるように適合されたオキシバーナー１の下流末端が示される。
【００１５】
本発明によれば、開口ブロック３の通路２は、内径Ｄs 及び軸長Ｌs を有する実質的に筒状の出口領域４を包含し、内径Ｄe を有する実質的に筒状で、同軸の入口領域５に連結する。図示される態様において、オキシバーナー１は、ガス状又は霧化された液状可燃性物質の射出用中央通路６を少なくとも１つ含む。中央通路６の前方又は出口末端は、入口領域５の出口平面７と実質的に同一平面である。オキシバーナー１は、少なくとも５％の酸素含有量を有する酸素添加可燃性ガスの射出用周辺導管８を少なくとも１つ含む。周辺導管８は、入口領域５の上流末端内に収容され、可燃性物質通路６の末端７の後方から少し離れた入口領域５内で終る。好ましくは、出口領域４は、上流部分９を含む。上流部分９は、典型的には、半角(half angle)α、長さｌであって、好ましくは、いかなる鋭角の端を有することなく連続的に入口領域５の下流末端及び出口領域４の主要部分を連結する円錐台状(truncated conical) である。
【００１６】
本発明の１つの態様によれば、直径Ｄs 及び直径Ｄe の比は、約１．５ないし２．５、好ましくは、約２未満であり、入口領域の直径と出口領域の直径との差に対する出口領域の長さの比Ｌs ／（Ｄs −Ｄe ）は、約２ないし７、典型的には、約４ないし６である。例示される好ましい態様において、連結領域９の角度αは４５゜を超えず、長さｌは出口領域４の長さＬs の１５％を超えない。
【００１７】
オキシバーナー／開口ブロックアセンブリーの十分な冷却を確保するために、入口領域５内の酸素添加可燃性ガスの出口速度は、５ｍ／ｓより大きく、好ましくは、約６０ｍ／ｓを超えない。対応して、通路６の末端７における可燃性物質の射出速度は、酸素添加可燃性ガスの射出速度の１ないし約６倍、典型的には、酸素添加可燃性ガスの射出速度の１．５ないし３倍である。
【００１８】
図２には、射出速度３０ｍ／ｓの天然ガス、及び射出速度１５ｍ／ｓの非純粋酸素を用いて、以下の表に示す２つの開口ブロック幾何形状Ａ及びＢについての出口領域４の出口１０の平面における燃性ガスの軸速度分布が示されている。縦軸は、メートル／秒で表された軸速度を表し、横軸は、軸に対するその半径と最大半径（Ｄs ／２に等しい）との間の比により決定される出口平面における点の位置を表す。
【００１９】
【表１】
0003650178.tif 000002
図２から明らかなように、開口ブロックの出口における燃性ガスの軸速度は、いずれの場所でも４０ｍ／ｓを超えないが、出口領域４の壁沿いの境界層の直近付近まで１０ｍ／ｓを超えて維持される。
【００２０】
図３は、少なくとも２つの、典型的には少なくとも３つの可燃性物質の射出のための通路６’を含む本発明のオキシバーナーアセンブリーの１つの態様を示す。これら通路６’の出口は全て同一平面上にあり、典型的には、入口領域５の出口の平面７内にある。典型的には、オキシバーナーは、入口領域５の軸の周辺に角度をつけて配置された導管６’を（図示するように）５つ又は７つ含む。この多管射出機は、中央導管を有する態様に比較して、これら射出管が開口ブロックの壁に接近しているため、射出管に隣接する発電機の領域における開口ブロックの局所的過熱の危険性のために工業的に開発されることができた。本発明の開口ブロックの段階状の筒状立体配置により、これら危険性がかなり減少される。これら危険性を実質的に減少させるために、本発明の１つの態様によれば、内部導管６’と開口ブロックの入口領域５の隣接する壁との間の最小距離ｓは、以下の関係：
Ｌs ／（ｓ＋（Ｄs −Ｄe ）／２）
が６ないし８である開口ブロックの出口領域４の寸法の関数として決定される。
【００２１】
この関係は、約６゜の開口ブロックの半角を有する理論上の射出円錐を有する管６’により射出される可燃性物質が、出口領域４の内部壁に衝突しないが、開口ブロックの末端１０から最適の距離に存在する点において出口領域４の理論的延長部分に衝突するであろうという事実を表わす。
【００２２】
本発明を特定の態様について説明してきたが、本発明は、それにより制限されるものではなく、むしろ、請求項の範囲内で当業者に明らかであろう修飾及び変更が可能である。
【図面の簡単な説明】
【図１】本発明のオキシバーナー及び開口ブロックのアセンブリーの第１の態様の概略図である。
【図２】図１のアセンブリーの開口ブロックを出るガスの速度分布を示す曲線である。
【図３】本発明のオキシバーナー及び開口ブロックのアセンブリーの第２の態様の概略図である。
【符号の説明】
１…オキシバーナー、    ２…通路、              ３…開口ブロック、
４…出口領域、          ５…入口領域、          ６…可燃性物質通路、
６’…内部導管、        ７…通路末端、          ８…周辺導管、
９…上流部分、          １０…出口
【図１】
0003650178.tif 000003
【図２】
0003650178.tif 000004
【図３】
0003650178.tif 000005